(57)【要約】      （修正有）【課題】ヘルメットを椅子に固定したときの収容性を向上することができるヘルメットホルダーを提供する。【解決手段】ヘルメットホルダー１は、ヘルメット２を椅子１００に固定する、椅子１００の座面１１０に敷設される座面部１０と、座面部１０に一端が連なり、椅子１００の座面１１０の裏面に配置される裏面部２０と、を備え、座面部１０と裏面部２０との他端は、互いに係止部３０により係止可能であり、椅子１００の座面１１０と、裏面部２０との間にヘルメット２を挟み込むことが可能である。【選択図】図１
0003197522.tif 000002
【実用新案登録請求の範囲】
【請求項１】
ヘルメットを椅子に固定するヘルメットホルダーであって、
椅子の座面に敷設される座面部と、
座面部に一端が連なり、椅子の座面の裏面に配置される裏面部と、を備え、
座面部と裏面部との他端は、互いに係止可能であり、
椅子の座面と裏面部との間にヘルメットを挟み込むことが可能なヘルメットホルダー。
【請求項２】
椅子から取り外したときに、使用者が着ることが可能であり、
座面部と裏面部とが連なる一端には、その略中央に使用者が頭を通すことが可能な第一孔が形成され、
座面部と裏面部との他端には、互いに係止された状態で、使用者が両腕をそれぞれ通すことが可能な左右一対の第二孔が形成される請求項１に記載のヘルメットホルダー。
【考案の詳細な説明】
【技術分野】
【０００１】
ヘルメットを椅子に固定するヘルメットホルダーに関する。
【背景技術】
【０００２】
例えば、特許文献１には収納ベルト５０を板材の上面に配置し、顎紐側フック面４１とベルト側ループ面５１とを結合し、外面の顎紐側ループ面４２ａとベルト側フック面５２とを結合して板材の下方に垂下させて収納するヘルメットが開示されている。
【先行技術文献】
【特許文献】
【０００３】
【特許文献１】特開２０１４−１５６６６１号公報
【考案の概要】
【考案が解決しようとする課題】
【０００４】
しかしながら、特許文献１のヘルメットは、椅子の座面の下に垂下させることができるものの、椅子の移動に伴い、揺動する。このため、椅子の下に垂下させたヘルメットが邪魔になっていた。本考案は、ヘルメットを椅子に固定したときの収容性を向上することを目的とする。
【課題を解決するための手段】
【０００５】
ヘルメットを椅子に固定するヘルメットホルダーであって、椅子の座面に敷設される座面部と、座面部に一端が連なり、椅子の座面の裏面に配置される裏面部とを備え、座面部と裏面部との他端は、互いに係止可能であり、椅子の座面と、裏面部との間にヘルメットを挟み込むことが可能なヘルメットホルダー。
椅子から取り外したときに、使用者が着ることが可能であり、座面部と裏面部とが連なる一端には、その略中央に使用者が頭を通すことが可能な第一孔が形成され、座面部と裏面部との他端には、互いに係止された状態で、使用者が両腕をそれぞれ通すことが可能な左右一対の第二孔が形成される請求項１に記載のヘルメットホルダー。
【考案の効果】
【０００６】
本考案によれば、ヘルメットを椅子に固定したときの収容性を向上することができる。
【図面の簡単な説明】
【０００７】
【図１】本発明の実施形態に係るヘルメットホルダー１を、椅子１００に適用した状態を示す図である。
【図２】本発明の実施形態に係るヘルメットホルダー１を、椅子１００に適用した状態を示す図である。
【図３】本発明の実施形態に係るヘルメットホルダー１の展開図である。
【図４】本発明の実施形態に係るヘルメットホルダー１を使用者が着用した状態を示す図である。
【図５】本発明の実施形態の変形例に係る、ヘルメットホルダー１Ａの展開図である。
【考案を実施するための形態】
【０００８】
図１から図４は、本発明の実施形態に係るヘルメットホルダー１を説明する図である。
ヘルメットホルダー１は、ヘルメット２を椅子１００に固定し、座面部１０と、裏面部２０と、係止部３０と、第一孔４０と、第二孔５０と、を備える。
【０００９】
座面部１０は、椅子１００の座面１１０に敷設される。
座面部１０は、略中心で２つの部材に２分割されており、これら２つの部材は、その端部が互いに係合部１１（図４参照：例えば、ファスナ、面ファスナ、ボタン等）により係止されている。使用者は、この係合部１１材の係合を外すことで、座面部１０を２分割することができる。
【００１０】
裏面部２０は、座面部１０に一端が連なり、椅子１００の座面１１０の裏面に配置される。
座面部１０及び裏面部２０は、伸縮性、保温性及び浮力を有する素材で形成されている。
【００１１】
係止部３０は、座面部１０と裏面部２０との他端に、それぞれ対で設けられている。係止部３０は、例えば、ボタンで構成されているが、座面部１０と裏面部２０との他端を互いに連結できれば、例えば、面ファスナ等の任意の構成とすることができる。
このように、座面部１０と裏面部２０との他端は、互いに係止部３０により係止可能である。
【００１２】
使用者は、座面部１０を椅子１００の座面１１０に敷設し、裏面部２０を座面１１０の裏面に配置し、対となる係止部３０を互いに連結させて、座面部１０と裏面部２０との他端は、互いに係止させる。そして、使用者は、裏面部２０を伸ばしつつ、椅子１００の座面１１０と、裏面部２０との間にヘルメット２を挟み込む。
【００１３】
また、ヘルメットホルダー１は、椅子２０から取り外したときに、使用者が着ることが可能である。
図４に示すように、第一孔４０は、座面部１０と裏面部２０とが連なる一端側の略中央に使用者が頭を通すことが可能に形成されている。
第二孔５０は、座面部１０と裏面部２０との他端において、互いに係止された状態で、使用者が両腕をそれぞれ通すことが可能に左右一対で形成されている。
使用者は、ヘルメットホルダー１を椅子２０から取り外し、係合部１１の係合を外し、第一孔４０を首回りに配置し、第二孔５０に腕を通し、係合部１１を係合することで、図４に示すように、ヘルメットホルダー１を着用できる。
【００１４】
図５は、本発明の実施形態の変形例に係るヘルメットホルダー１Ａを説明する図である。
ヘルメットホルダー１Ａは、座面の裏面略中央から脚が延びる椅子に適用可能である。
ヘルメットホルダー１Ａは、座面部１０Ａと、裏面部２０Ａと、係止部３０と、第一孔４０と、第二孔５０と、を備える。
座面部１０Ａは、係合部１１（図４参照）がない点（即ち、一枚で形成されている。）が、上記実施形態の座面部１０と異なる。
裏面部２０Ａは、他端側から略中心に向けて延びる切込み２１が形成され、切込み２１に沿って、係合部２２が設けられている点が、上記実施形態の裏面部２０と異なる。
使用者は、座面部１０Ａを椅子の座面に敷設し、係合部２２を互いに離した状態で、裏面部２０Ａを座面１１０の裏面に配置し、座面の裏面略中央から延びる脚を切込み２１の間に通してから、係合部２２を互いに係合させる。そして、座面部１０Ａと裏面部２０Ａの対となる係止部３０を互いに連結させて、座面部１０Ａと裏面部２０Ａとの他端を、互いに係止させる。そして、使用者は、裏面部２０Ａを伸ばしつつ、椅子の座面と、裏面部２０Ａとの間にヘルメットを挟み込む。
【符号の説明】
【００１５】
１      ヘルメットホルダー
１Ａ    ヘルメットホルダー
２      ヘルメット
１０    座面部
１０Ａ  座面部
１１    係合部
２０    裏面部
２０Ａ  裏面部
２１    切込み
２２    係合部
３０    係止部
４０    第一孔
５０    第二孔
１００  椅子
１１０  座面
【図１】
0003197522.tif 000003
【図２】
0003197522.tif 000004
【図３】
0003197522.tif 000005
【図４】
0003197522.tif 000006
【図５】
0003197522.tif 000007